(57)【特許請求の範囲】
【請求項１】
音声データ及び映像データを含むコンテンツデータを受信する受信手段と、
前記受信手段により受信された前記コンテンツデータを記録する記録手段と、
前記記録手段により記録された前記コンテンツデータを再生して、前記音声データに基づく音声を音声出力部から出力させるとともに、前記映像データに基づく映像を表示部に表示させる再生手段と、
前記再生手段による前記コンテンツデータの再生時に、前記音声出力部から出力される前記音声をマーキングするマーキング手段と、
前記マーキング手段によりマーキングされた前記音声の音声データ若しくは当該音声データの再生位置に基づく所定の再生位置の音声データ又は映像データを取得する取得手段と、
前記取得手段により取得された前記音声データ又は前記映像データに基づいて、前記記録手段により記録された前記コンテンツデータのタイトル情報を作成する作成手段と、
を備えることを特徴とする記録再生装置。
【請求項２】
前記コンテンツデータにおける、前記マーキング手段によりマーキングされた前記音声が再生される所定の再生位置を記憶する記憶手段を備え、
前記取得手段は、前記記憶手段により記憶された前記所定の再生位置に基づいて、前記コンテンツデータと同一のシリーズに属する第２のコンテンツデータに含まれる音声データ又は映像データを取得し、
前記作成手段は、前記取得手段により取得された前記音声データ又は前記映像データに基づいて、前記第２のコンテンツデータのタイトル情報を作成することを特徴とする請求項１に記載の記録再生装置。
【請求項３】
前記コンテンツデータにおける、前記マーキング手段によりマーキングされた前記音声データを記憶する記憶手段を備え、
前記取得手段は、前記コンテンツデータと同一のシリーズに属する第２のコンテンツデータから、前記記憶手段により記憶された前記音声データが再生される再生位置を検出し、検出された再生位置に基づいて、前記第２のコンテンツデータに含まれる音声データ又は映像データを取得し、
前記作成手段は、前記取得手段により取得された前記音声データ又は前記映像データに基づいて、前記第２のコンテンツデータのタイトル情報を作成することを特徴とする請求項１に記載の記録再生装置。
【請求項４】
前記取得手段は、音声データを取得し、
前記作成手段は、前記取得手段により取得された前記音声データを文字データに変換し、当該文字データに基づく文字の少なくとも一部を含むタイトル情報を作成することを特徴とする請求項１〜３の何れか一項に記載の記録再生装置。
【請求項５】
前記取得手段は、映像データを取得し、
前記作成手段は、前記取得手段により取得された前記映像データに含まれる文字データを取得して、当該文字データに基づく文字の少なくとも一部を含むタイトル情報を作成することを特徴とする請求項１〜３の何れか一項に記載の記録再生装置。
【請求項６】
音声データ及び映像データを含む第１のコンテンツデータ及び当該第１のコンテンツデータと同一のシリーズに属する第２のコンテンツデータを受信する受信手段と、
前記受信手段により受信された前記第１のコンテンツデータ及び前記第２のコンテンツデータを記録する記録手段と、
前記記録手段により記録された前記第１のコンテンツデータ及び前記第２のコンテンツデータを再生して、前記音声データに基づく音声を音声出力部から出力させるとともに、前記映像データに基づく映像を表示部に表示させる再生手段と、
前記再生手段による前記第１のコンテンツデータの再生時に、前記音声出力部から出力される前記音声をマーキングするマーキング手段と、
前記第１のコンテンツデータにおける、前記マーキング手段によりマーキングされた前記音声が再生される所定の再生位置を記憶する記憶手段と、
前記第１のコンテンツデータにおける、前記マーキング手段によりマーキングされた前記音声の音声データ若しくは当該音声データの再生位置に基づく所定の再生位置の音声データ又は映像データを取得するとともに、前記記憶手段により記憶された前記所定の再生位置に基づいて、前記第２のコンテンツデータに含まれる音声データ又は映像データを取得する取得手段と、
前記取得手段により取得された前記音声データ又は前記映像データに基づいて、前記記録手段により記録された前記第１のコンテンツデータのタイトル情報及び前記第２のコンテンツデータのタイトル情報を作成する作成手段と、
を備え、
前記作成手段は、前記取得手段により取得された前記音声データを文字データに変換し、当該文字データに基づく文字の少なくとも一部を含むタイトル情報を作成又は前記取得手段により取得された前記映像データに含まれる文字データを取得して、当該文字データに基づく文字の少なくとも一部を含むタイトル情報を作成することを特徴とする記録再生装置。
【発明の詳細な説明】
【技術分野】
【０００１】
本発明は、コンテンツデータを記録して再生する記録再生装置に関する。
【背景技術】
【０００２】
通常、記録再生装置において、テレビジョン番組を録画すると、放送信号とともに送信される番組情報に含まれるタイトル情報に基づいて、番組のタイトルが作成されて記録される（特許文献１参照）。
しかしながら、登場人物名や、シリーズ形式の番組におけるその放送回のタイトル等、録画コンテンツのタイトル名に含まれない情報を知るためには、録画されたコンテンツを実際に再生して確認しなければならず、不便であるという問題があった。
【０００３】
そこで、例えば、ユーザが、表示部に表示された付加情報を選択する操作を行うと、選択された付加情報に含まれるタイトル名や、アーティスト名等が取得されて記録媒体に記録されるデジタル放送記録再生装置が提案されている（特許文献２参照）。
【特許文献１】特開２００３−２３００８０号公報
【特許文献２】特開２００３−５９２４６号公報
【発明の開示】
【発明が解決しようとする課題】
【０００４】
しかしながら、上記特許文献２では、付加情報に含まれていない情報はタイトルに含めることができないため、使い勝手が悪い。
また、上記特許文献１及び特許文献２は、デジタル放送のように、番組データに付加情報が付加されていることを前提としている。したがって、アナログ放送の番組を録画する場合には、必要な情報を取得することができず、タイトルを作成することができないという問題があった。
【０００５】
本発明の課題は、コンテンツデータに含まれる音声データ又は映像データを用いた容易な操作で、よりユーザの意向に沿った録画コンテンツのタイトルを作成することができる記録再生装置を提供することである。
【課題を解決するための手段】
【０００６】
上記課題を解決するため、請求項１に記載の発明は、記録再生装置において、音声データ及び映像データを含むコンテンツデータを受信する受信手段と、
前記受信手段により受信された前記コンテンツデータを記録する記録手段と、
前記記録手段により記録された前記コンテンツデータを再生して、前記音声データに基づく音声を音声出力部から出力させるとともに、前記映像データに基づく映像を表示部に表示させる再生手段と、
前記再生手段による前記コンテンツデータの再生時に、前記音声出力部から出力される前記音声をマーキングするマーキング手段と、
前記マーキング手段によりマーキングされた前記音声の音声データ若しくは当該音声データの再生位置に基づく所定の再生位置の音声データ又は映像データを取得する取得手段と、
前記取得手段により取得された前記音声データ又は前記映像データに基づいて、前記記録手段により記録された前記コンテンツデータのタイトル情報を作成する作成手段と、
を備えることを特徴とする。
【０００７】
請求項２に記載の発明は、請求項１に記載の記録再生装置において、前記コンテンツデータにおける、前記マーキング手段によりマーキングされた前記音声が再生される所定の再生位置を記憶する記憶手段を備え、
前記取得手段は、前記記憶手段により記憶された前記所定の再生位置に基づいて、前記コンテンツデータと同一のシリーズに属する第２のコンテンツデータに含まれる音声データ又は映像データを取得し、
前記作成手段は、前記取得手段により取得された前記音声データ又は前記映像データに基づいて、前記第２のコンテンツデータのタイトル情報を作成することを特徴とする。
【０００８】
請求項３に記載の発明は、請求項１に記載の記録再生装置において、前記コンテンツデータにおける、前記マーキング手段によりマーキングされた前記音声データを記憶する記憶手段を備え、
前記取得手段は、前記コンテンツデータと同一のシリーズに属する第２のコンテンツデータから、前記記憶手段により記憶された前記音声データが再生される再生位置を検出し、検出された再生位置に基づいて、前記第２のコンテンツデータに含まれる音声データ又は映像データを取得し、
前記作成手段は、前記取得手段により取得された前記音声データ又は前記映像データに基づいて、前記第２のコンテンツデータのタイトル情報を作成することを特徴とする。
【０００９】
請求項４に記載の発明は、請求項１〜３の何れか一項に記載の記録再生装置において、前記取得手段は、音声データを取得し、前記作成手段は、前記取得手段により取得された前記音声データを文字データに変換し、当該文字データに基づく文字の少なくとも一部を含むタイトル情報を作成することを特徴とする。
【００１０】
請求項５に記載の発明は、請求項１〜３の何れか一項に記載の記録再生装置において、前記取得手段は、映像データを取得し、前記作成手段は、前記取得手段により取得された前記映像データに含まれる文字データを取得して、当該文字データに基づく文字の少なくとも一部を含むタイトル情報を作成することを特徴とする。
【００１１】
請求項６に記載の発明は、記録再生装置において、音声データ及び映像データを含む第１のコンテンツデータ及び当該第１のコンテンツデータと同一のシリーズに属する第２のコンテンツデータを受信する受信手段と、
前記受信手段により受信された前記第１のコンテンツデータ及び前記第２のコンテンツデータを記録する記録手段と、
前記記録手段により記録された前記第１のコンテンツデータ及び前記第２のコンテンツデータを再生して、前記音声データに基づく音声を音声出力部から出力させるとともに、前記映像データに基づく映像を表示部に表示させる再生手段と、
前記再生手段による前記第１のコンテンツデータの再生時に、前記音声出力部から出力される前記音声をマーキングするマーキング手段と、
前記第１のコンテンツデータにおける、前記マーキング手段によりマーキングされた前記音声が再生される所定の再生位置を記憶する記憶手段と、
前記第１のコンテンツデータにおける、前記マーキング手段によりマーキングされた前記音声の音声データ若しくは当該音声データの再生位置に基づく所定の再生位置の音声データ又は映像データを取得するとともに、前記記憶手段により記憶された前記所定の再生位置に基づいて、前記第２のコンテンツデータに含まれる音声データ又は映像データを取得する取得手段と、
前記取得手段により取得された前記音声データ又は前記映像データに基づいて、前記記録手段により記録された前記第１のコンテンツデータのタイトル情報及び前記第２のコンテンツデータのタイトル情報を作成する作成手段と、
を備え、
前記作成手段は、前記取得手段により取得された前記音声データを文字データに変換し、当該文字データに基づく文字の少なくとも一部を含むタイトル情報を作成又は前記取得手段により取得された前記映像データに含まれる文字データを取得して、当該文字データに基づく文字の少なくとも一部を含むタイトル情報を作成することを特徴とする。
【発明の効果】
【００１２】
本発明によれば、受信手段により、音声データ及び映像データを含むコンテンツデータが受信され、記録手段により、受信手段により受信されたコンテンツデータが記録され、再生手段により、記録手段により記録されたコンテンツデータが再生されて、音声データに基づく音声が音声出力部から出力されるとともに、映像データに基づく映像が表示部に表示され、マーキング手段により、再生手段によるコンテンツデータの再生時に、音声出力部から出力される音声がマーキングされ、取得手段により、マーキング手段によりマーキングされた音声の音声データ若しくは当該音声データの再生位置に基づく所定の再生位置の音声データ又は映像データが取得され、作成手段により、取得手段により取得された音声データ又は映像データに基づいて、記録手段により記録されたコンテンツデータのタイトル情報が作成される。
即ち、コンテンツデータの再生時に、再生される音声をマーキングすると、その音声の音声データ又は当該音声データの再生位置に基づく所定の再生位置の音声データ又は映像データに基づいてタイトル情報が作成されることとなる。したがって、記録再生装置において、コンテンツデータに含まれる音声データ又は映像データを用いた容易な操作で、よりユーザの意向に沿った録画コンテンツのタイトルを作成することができる。
【発明を実施するための最良の形態】
【００１３】
（実施形態１）
以下、本発明の実施形態１を、図面を参照しながら詳細に説明する。
本実施形態１の記録再生装置は、例えば、ＤＶＤレコーダであるものとして説明を行う。
なお、記録再生装置は、ＤＶＤレコーダに限られることなく、ＢＤ（Blue-ray Disc）レコーダ、Ｄ−ＶＨＳレコーダ等であっても良い。
【００１４】
まず、図１を参照しながら、実施形態１のＤＶＤレコーダ１００の要部構成について説明する。
ＤＶＤレコーダ１００は、テレビジョン放送局から伝送される放送信号を受信して、受信した放送信号に含まれるコンテンツデータの記録及び再生を行う。ＤＶＤレコーダ１００には、テレビジョン受像機３００等の外部装置が接続されており、ＤＶＤ６１に記録されたコンテンツデータは、このテレビジョン受像機３００に出力されて視聴者に提供される。
【００１５】
ＤＶＤレコーダ１００は、例えば、キー入力部１、放送局から送信された放送信号を受信して、当該放送信号のうちから所定の放送チャンネルの放送信号を選局して、コンテンツデータ（第１のコンテンツデータ、第２のコンテンツデータ）を抽出するチューナ２、チューナ２から入力されたコンテンツデータに対して所定の圧縮処理を行うエンコーダ部３、チューナ２から入力されたコンテンツデータを解析して映像データを取得する解析部４、コンテンツデータの入出力を制御して、エンコーダ部３から入力されたコンテンツデータをＤＶＤドライブ部６に供給するとともに、ＤＶＤドライブ部６から取り込んだコンテンツデータをデコーダ部７に供給するデータプロセッサ５、ＤＶＤ６１に対して放送番組データの記録及び再生を行うＤＶＤドライブ部６、ＤＶＤドライブ部６から出力された放送番組データに所定の伸張処理を行うデコーダ部７、映像データに含まれる文字を認識する文字認識部８、音声データを音声認識してテキストデータに変換する音声認識部９、文字認識部８から入力されるテキストデータ・音声認識部９から入力されるテキストデータ・ビデオデコーダ７２から入力される付加情報（番組配列情報（SI: Service Information））に基づいてタイトル情報を作成するタイトル情報作成部１０、ＯＳＤデータ等を映像信号に合成するミキシング部１１、ＤＶＤレコーダ１００全体を統括制御する制御部１２等を備えて構成されている。
【００１６】
キー入力部１は、例えば、機器本体を遠隔操作するリモートコントローラ等であり、各種キーの押下に基づいてリモコン信号を生成し、機器本体の制御部１２に対して出力する。具体的には、キー入力部１には、図示は省略するが、電源キー、テンキー、メニューキー、ＥＰＧ（電子番組ガイド）表示キー、上キー・下キー・左キー・右キーから成るカーソルキー、決定キー、クリアキー、音声切替キー、リターンキー、チャンネルアップ／ダウンキー、ボリュームアップ／ダウンキー等の各種キーが備わる。
また、キー入力部１には、第１のコンテンツデータの再生時に、所望の音声をマーキングしてタイトルの作成を指示するためのタイトル作成キー１ａが備わる。当該タイトル作成キー１ａが操作されると、後述するマーキングプログラム１２５ｄ、記憶プログラム１２５ｅ、取得プログラム１２５ｆ、作成プログラム１２５ｇが実行され、マーキングされた音声又はマーキングされた音声に基づく所定の再生位置の音声又は映像に基づく第１のコンテンツデータのタイトル情報が作成されることとなる。
【００１７】
また、タイトル作成キー１ａの操作により、第１のコンテンツデータのタイトル情報が作成されると、第１のコンテンツデータと同一のシリーズに属する第２のコンテンツデータのタイトル情報が作成される。
特に、本実施形態１では、第１のコンテンツデータにおいてマーキングされた音声の再生位置が記憶され、第２のコンテンツデータにおける当該再生位置の音声データ若しくは当該再生位置に基づく所定の再生位置の音声データ又は映像データに基づいて、第２のコンテンツデータのタイトル情報が作成される。
タイトル作成キー１ａに基づく第１のコンテンツデータのタイトル情報及び第２のコンテンツデータのタイトル情報の作成方法については、作成プログラム１２５ｇの説明において詳述する。
【００１８】
ここで、第１のコンテンツデータとは、当該コンテンツデータがシリーズ形式の番組である場合に、タイトル情報が作成される最初の番組を指す。また、コンテンツデータがシリーズ形式の番組でなく単発の番組である場合であっても、タイトル情報が作成される番組は第１のコンテンツデータとされる。
一方、第２のコンテンツデータとは、同一のシリーズに属するコンテンツデータであって既にタイトル情報が作成されているコンテンツデータ(第１のコンテンツデータ)が存在する場合に、二番目以降にタイトル情報が作成される番組を指す。
【００１９】
即ち、例えば、『きかんしゃトー○ス』（シリーズ名）というシリーズものの番組を、第１話から順に録画する場合、例えば、第１話の再生時に、タイトル作成キー１ａを操作して第１話のタイトル情報を一番初めに作成すると、当該第１話が「第１のコンテンツデータ」とされ、第２話以降が「第２のコンテンツデータ」とされる。
また、例えば、第２話の再生時に、タイトル作成キー１ａを操作して第２話のタイトル情報を一番初めに作成すると、第２話が「第１のコンテンツデータ」とされ、第１話及び第３話以降が「第２のコンテンツデータ」とされる。
【００２０】
チューナ２は、例えば、高周波増幅回路と、局部発振回路及び混合回路から成る周波数変換回路と、を備えて構成されており、アンテナ等により入力されたデジタルテレビジョン放送信号（ＲＦ信号）と、局部発振回路から出力される局部発振信号とを混合回路により混合し、当該放送信号の周波数を選局するための制御部１２からの制御出力に応じて、特定周波数帯のデジタルテレビジョン放送信号を受信する。そして当該受信したデジタル放送信号に所定の処理を行うことによりＴＳに変換し、必要なＴＳパケットを取り出してエンコーダ部３に出力する。
【００２１】
エンコーダ部３は、例えば、入力されるコンテンツデータ（第１のコンテンツデータ、第２のコンテンツデータ）をＤＶＤドライブ部６においてＤＶＤ６１に書き込み可能なファイル形式にエンコードし、データプロセッサ５に供給する。
解析部４は、チューナ２から入力される第２のコンテンツデータとしてのＴＳを解析して、第１のコンテンツデータにおいてマーキングされた音声データの再生位置の音声データ、若しくは、第１のコンテンツデータにおいてマーキングされた音声データの再生位置に基づく所定の再生位置の音声データ又は映像データを取得する。
【００２２】
データプロセッサ５は、例えば、ＣＰＵ１２１からの制御出力に基づいて、データの入出力経路を設定して、データの入力及び出力を制御する。
例えば、記録処理では、エンコーダ部３から入力されたコンテンツデータに対して、誤り訂正符号化、８−１６変調等を行い、一旦バッファメモリ５１に貯めた後に、ＣＰＵ１２１からの制御出力に応じてＤＶＤドライブ部６に出力する。また、再生時に必要な管理情報を、コンテンツデータとともに、ＤＶＤドライブ部６に出力して記録させる。
一方、再生処理では、ＤＶＤドライブ部６から読み込んだコンテンツデータに対して、波形等価、Ａ／Ｄ変換、８−１６復調、誤り訂正復号等を行い、一旦バッファメモリ５１に貯めた後に、ＣＰＵ１２１からの制御出力に応じてデコーダ部７に出力する。
【００２３】
ＤＶＤドライブ部６は、例えば、ＤＶＤドライブ部６に対して着脱自在なＤＶＤ６１、ＤＶＤ６１に対する放送番組データの記録及びＤＶＤ６１に記録された放送番組データの読み出しを行う光ピックアップ６２、装填されたＤＶＤ６１を回転させるスピンドルモータ６３、光ピックアップ６２をＤＶＤ６１の半径方向に移動させる送りモータ６４等を備えている。
ＤＶＤ６１は、例えば、書き換え可能なＤＶＤ−ＲＡＭ（Random Access Memory）である。ＤＶＤドライブ部６では、記録処理において、光ピックアップ６２により、ＤＶＤ６１の反射層にレーザ光を照射して、照射光による加熱により記録層の結晶状態を変化させて結晶部・非晶質部を形成することにより、ＤＶＤ６１に対するデータの書き込みを行う。一方、再生処理において、光ピックアップ６２によりＤＶＤ６１の反射層にレーザ光を照射し、光電変換及び電流電圧変換によって反射光に応じた電圧信号を生成することにより、ＤＶＤ６１に記録されたデータの読み出しを行う。
【００２４】
デコーダ部７は、例えば、分離部７１、ビデオデコーダ７２、オーディオデコーダ７３、データデコーダ７４等を備えて構成されている。
分離部７１は、ＤＶＤドライブ部６からデータプロセッサ５を介して出力されたデータストリームを、ビデオストリーム、オーディオストリーム、サブピクチャストリーム等の複数のストリームに分離する。
ビデオデコーダ７２は、分離部７１から入力されるビデオストリームをデコードする。具体的には、ビデオデコーダ７２は、ビデオストリームに、可変長復号化、逆量子化、逆ＤＣＴ、動き補正等の各種処理を行うことでデコードする。
オーディオデコーダ７３は、分離部７１から入力されるオーディオストリームを伸張する。
データデコーダ７４は、分離部７１から入力されたサブピクチャストリームをデコードする。
ミキシング部１１は、ビデオデコーダ７２においてデコードされたビデオストリームに対して、データデコーダ７４から入力されるＯＳＤデータ等を合成する。
デコードされたビデオデータは、図示しないメモリに一旦格納された後に、各コマの表示時間情報に応じた所定の再生タイミングで、ＤＶＤレコーダ１００に接続されたテレビジョン受像機３００の表示部３００ａに出力されることとなる。また、デコードされた音声データは、テレビジョン受像機３００の音声出力部３００ｂに出力されることとなる。
【００２５】
文字認識部８は、例えば、単語辞書８１を備え、制御部１２の制御に従い、第１のコンテンツデータのタイトル作成処理に際して、ビデオデコーダ７２から入力される映像データに対して文字認識処理を行って、映像データに含まれるテキストデータを抽出する。また、第２のコンテンツデータのタイトル作成処理に際して、解析部４から入力される映像データに対して文字認識処理を行って、映像データに含まれるテキストデータを抽出する。
文字認識処理では、映像データに含まれる文字列を取り込んでデジタル化し、デジタル化された文字列に対して文字認識を行う。そして、文字認識された文字の文字コードが、タイトル情報作成部１０に入力される。
【００２６】
音声認識部９は、例えば、音声認識辞書９１を備え、制御部１２の制御に従い、第１のコンテンツデータのタイトル作成処理に際して、オーディオデコーダ７３から入力される音声データに対して音声認識処理を行って、音声データをテキストデータに変換する。また、第２のコンテンツデータのタイトル作成処理に際して、解析部４から入力される音声データに際して音声認識処理を行って、音声データテキストデータに変換する。
音声認識処理では、所定の音声認識モデル(例えば、隠れマルコフモデル等)に基づいて、音声認識を行う。そして、音声認識処理によりテキスト変換された文字の文字コードがタイトル情報作成部１０に入力される。
【００２７】
タイトル情報作成部１０は、文字認識部８から入力されるテキストデータ、音声認識部９から入力されるテキストデータ、データデコーダ７４から入力される付加情報（番組配列情報）等に基づいて、タイトル情報を作成する。さらに、作成したタイトル情報を、データプロセッサ５を介してＤＶＤドライブ部６に出力する。
タイトル情報作成部１０から入力されるタイトル情報は、ＤＶＤドライブ部６において、番組と対応付けてＤＶＤ６１に記憶される。
ここで、本発明において、タイトル情報とは、取得された映像データから抽出される文字、取得された音声がテキスト変換されることにより得られる文字、コンテンツデータの付加情報（番組配列情報）に含まれるシリーズ名（オリジナルタイトル）等のうち、少なくとも一つを含む情報である。
【００２８】
制御部１２は、ＣＰＵ（Central Processing Unit）１２１、現在時刻を計時する計時部１２２、ＲＡＭ（Random Access Memory）１２３、再生位置記憶部１２４、ＲＯＭ（Read Only Memory）１２５等を備えて構成されている。
【００２９】
ＣＰＵ１２１は、各部から入力された入力信号に応じて、ＲＯＭ１２５に格納された各種プログラムを実行するとともに、実行にかかるプログラムに基づいて各部に出力信号を出力することにより、ＤＶＤレコーダ１００の動作全般を統括制御する。
【００３０】
ＲＡＭ１２３は、例えば、ＣＰＵ１２１によって各種プログラムが実行される際に生じる処理結果や、入力されたデータ等を記憶する。
再生位置記憶部１２４は、ＥＰＲＯＭ（Erasable Programmable ROM）等により構成され、後述する記憶プログラム１２５ｅの実行において、タイトル作成キー１ａの操作によりマーキングされた音声の所定の再生位置を、番組（シリーズ）毎に記憶する。
【００３１】
ＲＯＭ１２５は、不揮発性メモリから成るプログラム格納エリアを有しており、具体的には、受信プログラム１２５ａ、記録プログラム１２５ｂ、再生プログラム１２５ｃ、マーキングプログラム１２５ｄ、記憶プログラム１２５ｅ、取得プログラム１２５ｆ、作成プログラム１２５ｇ等を記憶している。
【００３２】
受信プログラム１２５ａは、例えば、ＣＰＵ１２１に、音声データ及び映像データを含む第１のコンテンツデータ及び当該第１のコンテンツデータと同一のシリーズに属する第２のコンテンツデータを受信する機能を実現させるためのプログラムである。
具体的には、ＣＰＵ１２１は、キー入力部１において、番組の録画を指示する旨の操作が行われると、チューナ２を特定周波数帯に同調させ、放送信号を受信する。また、シリーズ形式の番組の録画が予約されると、予約された番組の放送開始時刻から放送受信時刻まで、当該番組の放送信号を受信する。さらに、受信したＴＳから、録画番組のＴＳパケット（コンテンツデータ、第１のコンテンツデータ、第２のコンテンツデータ）を取得してエンコーダ部３に出力する。
ＣＰＵ１２１は、かかる受信プログラム１２５ａを実行することにより、チューナ２とともに受信手段として機能する。
【００３３】
記録プログラム１２５ｂは、受信プログラム１２５ａの実行により受信された第１のコンテンツデータ及び第２のコンテンツデータを記録する機能を実現させるためのプログラムである。
具体的には、ＣＰＵ１２１は、チューナ２において取り出した第１のコンテンツデータ又は第２のコンテンツデータを、エンコーダ部３においてＤＶＤ６１に記録可能なファイル形式にエンコードし、データプロセッサ５において、誤り訂正符号化、８−１６変調等を行って、ＤＶＤドライブ部６においてＤＶＤ６１に記録させる。ＣＰＵ１２１は、同一シリーズに属する番組を、互いに対応づけて記録させる。
ＣＰＵ１２１は、かかる記録プログラム１２５ｂを実行することにより、ＤＶＤドライブ部６とともに記録手段として機能する。
【００３４】
再生プログラム１２５ｃは、例えば、ＣＰＵ１２１に、記録プログラム１２５ｂの実行により記録された第１のコンテンツデータ及び第２のコンテンツデータを再生して、音声データに基づく音声を音声出力部３００ｂから出力させるとともに、映像データに基づく映像を表示部３００ａに表示させる機能を実現させるためのプログラムである。
具体的には、ＣＰＵ１２１は、キー入力部１において、ＤＶＤ６１に記録された番組の再生を指示する旨の操作が行われると、ＤＶＤドライブ部６において、ＤＶＤ６１に記録されたコンテンツデータ（第１のコンテンツデータ又は第２のコンテンツデータ）を読出し、８−１６復調、誤り訂正復号等を行って、デコーダ部７に送る。さらに、分離部７１において、ビデオストリーム、オーディオストリーム、データストリームに分離した後に、各ストリームを、ビデオデコーダ７２、オーディオデコーダ７３、データデコーダ７４において、それぞれデコードし、機器本体に接続されたテレビジョン受像機３００の音声出力部３００ｂから音声を出力させるとともに、表示部３００ａに映像を表示させる。
ＣＰＵ１２１は、かかる再生プログラム１２５ｃを実行することにより、再生手段として機能する。
【００３５】
マーキングプログラム１２５ｄは、例えば、ＣＰＵ１２１に、再生プログラム１２５ｃの実行による第１のコンテンツデータの再生時に、音声出力部３００ｂから出力される音声をマーキングする機能を実現させるためのプログラムである。
具体的には、ユーザは、タイトルに含めたい情報（放送回のタイトルや登場人物等）が音声や映像で提供される際に、毎回決まったタイミング（例えば、同時又は直前等）に、毎回決まって使われるメロディ・決まり文句等を、タイトル作成キー１ａによりマーキングする。より具体的には、ユーザは、第１のコンテンツデータの再生時に、テレビジョン受像機３００の音声出力部３００ｂから出力される音声又は表示部３００ａに表示される映像を視聴し、タイトル情報に含めたい音声や映像が出力されている間に、キー入力部１のタイトル作成キー１ａを押下する。または、ユーザは、第１のコンテンツデータの再生時に、テレビジョン受像機３００の音声出力部３００ｂから出力される音声又は表示部３００ａに表示される映像を視聴し、タイトル情報に含めたい音声や映像が出力される所定時間前（例えば、１秒間前）に、キー入力部１のタイトル作成キー１ａを押下する。
すると、ＣＰＵ１２１は、タイトル作成キー１ａの押下に基づいて、キーが押下されている間に音声出力部３００ｂから出力されていた音声を、マーキング音声として決定する。
ＣＰＵ１２１は、かかるマーキングプログラム１２５ｄを実行することにより、タイトル作成キー１ａとともに、マーキング手段として機能する。
【００３６】
記憶プログラム１２５ｅは、例えば、ＣＰＵ１２１に、第１のコンテンツデータにおける、マーキングプログラム１２５ｄの実行によりマーキングされ、再生位置記憶部１２４に記憶された音声が再生される所定の再生位置を記憶する機能を実現させるためのプログラムである。
具体的には、ＣＰＵ１２１は、マーキングプログラム１２５ｄの実行により、タイトル作成キー１ａが押下されている間に音声出力部３００ｂから出力されている音声がマーキング音声として決定されると、当該マーキング音声の所定の再生位置を決定する。
所定の再生位置は、例えば、番組の放送開始からの経過時間で示される。また、当該所定の再生位置は、キーの押下時間の情報も含む。再生位置が決定されると、ＣＰＵ１２１は、その再生位置に関する情報（例えば、番組の放送開始からの経過時間データ）を、当該番組・シリーズの識別情報とともに、再生位置記憶部１２４に記憶させる。
ＣＰＵ１２１は、かかる記憶プログラム１２５ｅを実行することにより、再生位置記憶部１２４とともに、記憶手段として機能する。
【００３７】
取得プログラム１２５ｆは、例えば、ＣＰＵ１２１に、第１のコンテンツデータにおける、マーキングプログラム１２５ｄの実行によりマーキングされた音声の音声データ若しくは当該音声データの再生位置に基づく所定の再生位置の音声データ又は映像データを取得するとともに、記憶プログラム１２５ｅの実行により記憶された所定の再生位置に基づいて、第２のコンテンツデータに含まれる音声データ又は映像データを取得する機能を実現させるためのプログラムである。
ＣＰＵ１２１は、かかる取得プログラム１２５ｆを実行することにより、ＤＶＤドライブ部６、解析部４とともに、取得手段として機能する。
【００３８】
作成プログラム１２５ｇは、例えば、ＣＰＵ１２１に、取得プログラム１２５ｆの実行により取得された音声データ又は映像データに基づいて、記録プログラム１２５ｂの実行により記録された第１のコンテンツデータのタイトル情報及び第２のコンテンツデータのタイトル情報を作成する機能を実現させるためのプログラムである。当該作成プログラム１２５ｇは、取得プログラム１２５ｆの実行により取得された音声データを文字データに変換し、当該文字データに基づく文字の少なくとも一部を含むタイトル情報を作成、又は、取得プログラム１２５ｆの実行により取得された映像データに含まれる文字データを取得して、当該文字データに基づく文字の少なくとも一部を含むタイトル情報を作成する。
ＣＰＵ１２１は、かかる作成プログラム１２５ｇを実行することにより、タイトル情報作成部１０とともに、作成手段として機能する。
【００３９】
タイトル情報の作成方法は、図２に例示するメニュー画面において予めユーザにより選択されている。図２のメニュー画面では、例えば、４つのタイトル作成方法を選択できるようになっている。
例えば、第１に、タイトル作成キー１ａによりマーキングした音声をテキスト変換してタイトル情報を作成する方法である。
第２に、タイトル作成キー１ａによりマーキングした音声の再生中に、表示部３００ａに表示される映像内の文字をテキスト変換してタイトル情報を作成する方法である。
第３に、タイトル作成キー１ａによりマーキングした音声の所定時間後（例えば、１〜１０秒後）に再生される音声をテキスト変換して、タイトル情報を作成する方法である。
第４に、タイトル作成キー１ａによりマーキングした音声の所定時間後（例えば、１〜３秒後）に表示部３００ａに表示される映像内の文字をテキスト変換して、タイトル情報を作成する方法である。
なお、図２のメニュー画面では、タイトル作成キー１ａによりマーキングした音声の何秒後の音声データ／映像データを取得するか、又、その時間幅等を、ユーザが自在に設定することができる。
【００４０】
ＣＰＵ１２１は、取得プログラム１２５ｆの実行において、図２に例示するメニュー画面において、予めユーザにより選択されたタイトル情報の作成方法に基づいて、第１のコンテンツデータ及び第２のコンテンツデータから、タイトル情報を作成する。
【００４１】
第１に、第１のコンテンツデータ及び第２のコンテンツデータから、タイトル作成キー１ａによりマーキングした音声をテキスト変換してタイトル情報を作成する方法について説明する。
例えば、ユーザが、第１のコンテンツデータの再生時にタイトル作成キー１ａを押下すると、ＣＰＵ１２１は、タイトル作成キー１ａが押下されている間に再生された音声の再生位置を再生位置記憶部１２４に記憶させる。そして、第１のコンテンツデータにおける当該マーキングされた音声データ(例えば、「トー○スとゴー○ン」)をＤＶＤ６１から取得する。
また、ＣＰＵ１２１は、第１のコンテンツデータと同一のシリーズに属する第２のコンテンツデータがチューナ２において受信されると、解析部４において、第２のコンテンツデータから、再生位置記憶部１２４に記憶された再生位置の音声データ（例えば、「あかはなのジェー○ス」）を取得する。
第２のコンテンツデータは、第１のコンテンツデータと同じシリーズに属する番組であるため、第２のコンテンツデータから取得された、再生位置記憶部１２４に記憶された再生位置の音声は、第１のコンテンツデータの再生時にマーキングした音声と同種類の音声（例えば、サブタイトルのアナウンス等）である可能性が高く、第１のコンテンツデータの再生中にマーキングした音声と同じように、タイトル情報に含めたいユーザの意向に沿った音声である可能性が高いと考えられる。
【００４２】
第２に、第１のコンテンツデータ及び第２のコンテンツデータから、タイトル作成キー１ａによりマーキングした音声の再生中に、表示部３００ａに表示された映像内の文字をテキスト変換してタイトル情報を作成する場合について説明する。
例えば、ユーザが、第１のコンテンツデータの再生時にタイトル作成キー１ａを押下すると、ＣＰＵ１２１は、タイトル作成キー１ａが押下されている間に再生された音声の再生位置を再生位置記憶部１２４に記憶させる。そして、第１のコンテンツデータにおける当該マーキングされた音声データの再生中に表示部３００ａに表示される映像（例えば、図３）の映像データをＤＶＤ６１から取得する。
また、ＣＰＵ１２１は、第１のコンテンツデータと同一のシリーズに属する第２のコンテンツデータがチューナ２において受信されると、解析部４において、第２のコンテンツデータから、再生位置記憶部１２４に記憶された再生位置の音声データの再生中に、表示部３００ａに表示されている映像（例えば、図４）の映像データを取得する。
第２のコンテンツデータは、第１のコンテンツデータと同じシリーズに属する番組であるため、第２のコンテンツデータから取得された、再生位置記憶部１２４に記憶された再生位置の音声とともに出力される映像は、第１のコンテンツデータの再生時にマーキングした音声とともに出力された映像と同じように、タイトル情報に含めたいテキスト（例えば、サブタイトル等）を含むユーザの意向に沿った映像である可能性が高いと考えられる。
【００４３】
第３に、第１のコンテンツデータ及び第２のコンテンツデータから、タイトル作成キー１ａによりマーキングした音声の所定時間後に再生される音声をテキスト変換して、タイトル情報を作成する場合について説明する。
例えば、ユーザが、第１のコンテンツデータの再生時にタイトル作成キー１ａを押下すると、ＣＰＵ１２１は、タイトル作成キー１ａが押下されている間に再生された音声の再生位置を再生位置記憶部１２４に記憶させる。そして、第１のコンテンツデータにおける当該マーキングされた音声の所定時間後(例えば、１〜１０秒後)に再生される音声（例えば、「登場するなかまたち：トー○ス、ゴー○ン」）の音声データをＤＶＤ６１から取得する。
また、ＣＰＵ１２１は、第１のコンテンツデータと同一のシリーズに属する第２のコンテンツデータがチューナ２において受信されると、解析部４において、第２のコンテンツデータから、再生位置記憶部１２４に記憶された再生位置の所定時間後（例えば、１〜１０秒後）に再生される音声（例えば、「登場するなかまたち：ジェー○ス、ダッ○、ビ○、ベ○、ボ○、トレ○ー」）の音声データを取得する。
第２のコンテンツデータは、第１のコンテンツデータと同じシリーズに属する番組であるため、第２のコンテンツデータから取得された、再生位置記憶部１２４に記憶された再生位置の音声に基づく所定の再生位置（所定時間後）の音声は、第１のコンテンツデータの再生時にマーキングされた音声の所定時間後（例えば、１〜１０秒後）に再生される音声と同種類の音声（例えば、登場人物のアナウンス等）である可能性が高く、第１のコンテンツデータの再生時に取得した音声と同じように、タイトル情報に含めたいユーザの意向に沿った音声である可能性が高いと考えられる。
【００４４】
第４に、第１のコンテンツデータ及び第２のコンテンツデータから、タイトル作成キー１ａによりマーキングした音声の所定時間後に表示部３００ａに表示される映像内の文字をテキスト変換して、タイトル情報を作成する方法について説明する。
例えば、ユーザが、第１のコンテンツデータの再生時にタイトル作成キー１ａを押下すると、ＣＰＵ１２１は、タイトル作成キー１ａが押下されている間に再生された音声の再生位置を再生位置記憶部１２４に記憶させる。そして、第１のコンテンツデータにおける当該マーキングされた音声の所定時間後(例えば、１〜３秒後)に表示部３００ａに表示される映像（例えば、図５）をＤＶＤ６１から取得する。
また、ＣＰＵ１２１は、第１のコンテンツデータと同一のシリーズに属する第２のコンテンツデータがチューナ２において受信されると、解析部４において、第２のコンテンツデータから、再生位置記憶部１２４に記憶された再生位置の所定時間後(例えば、１〜３秒後)に表示部３００ａに表示される映像（例えば、図６）の映像データを取得する。
第２のコンテンツデータは、第１のコンテンツデータと同じシリーズに属する番組であるため、第２のコンテンツデータから取得された、再生位置記憶部１２４に記憶された再生位置の音声の所定時間後に表示部３００ａに表示される映像は、第１のコンテンツデータの再生時に取得した映像と同じように、タイトル情報に含めたいテキスト（例えば、登場人物名等）を含むユーザの意向に沿った映像である可能性が高いと考えられる。
【００４５】
次に、作成プログラム１２５ｇの実行において、取得した音声をテキストに変換して、変換したテキストを含むタイトル情報を作成する場合について具体的に説明する。
ＣＰＵ１２１は、第１のコンテンツデータ又は第２のコンテンツデータから、音声データを取得すると、取り込んだ音声データを音声認識部９に出力し、音声データをテキストデータ（例えば、「トー○スとゴー○ン」、「登場人物名：トー○スとゴー○ン」）に変換する。そして、変換したテキストデータをタイトル情報作成部１０に出力し、このテキストデータに基づいてタイトル情報を作成する。
タイトル情報作成部１０では、例えば、コンテンツデータとともに伝送される付加情報（番組配列情報）に含まれているシリーズ名（例えば、「トー○スとなかまたち」等）と、音声データを変換したテキストデータ（例えば、「トー○スとゴー○ン」・「登場人物名：トー○スとゴー○ン」等）と、を合成してタイトル情報（例えば、『トー○スとなかまたち  トー○スとゴー○ン』、『トー○スとなかまたち  登場人物名：トー○スとゴー○ン』等）とする。
また、例えば、コンテンツデータとともに伝送される付加情報に含まれているシリーズ名をタイトル情報に含めず、音声データを変換したテキストデータを、そのままタイトル情報（例えば、『トー○スとゴー○ン』、『登場人物名：トー○ス、ゴー○ン』等）としても良い。
ＣＰＵ１２１は、タイトル情報作成部１０においてタイトル情報が作成されると、データプロセッサ５を介してＤＶＤドライブ部６に出力し、第１のコンテンツデータ又は第２のコンテンツデータと対応づけてＤＶＤ６１に記録させる。
【００４６】
また、作成プログラム１２５ｇの実行において、取得した映像データに含まれる文字をテキストに変換して、変換したテキストを含むタイトル情報を作成する場合について具体的に説明する。
ＣＰＵ１２１は、第１のコンテンツデータ又は第２のコンテンツデータから、映像データを取得すると、取り込んだ映像データを文字認識部８に出力し、映像データに含まれる文字をテキストデータ（例えば、「トー○スとゴー○ン」、「登場人物名：トー○スとゴー○ン」等）に変換する。そして、変換したテキストデータをタイトル情報作成部１０に出力し、このテキストデータに基づいてタイトル情報を作成する。
タイトル情報作成部１０では、例えば、コンテンツデータとともに伝送される付加情報（番組配列情報）に含まれているシリーズ名（例えば、「トー○スとなかまたち」等）と、映像データから抽出したテキストデータ（例えば、「トー○スとゴー○ン」、「登場人物名：トー○スとゴー○ン」等）と、を合成してタイトル情報（例えば、『トー○スとなかまたち  トー○スとゴー○ン』、『トー○スとなかまたち  登場人物名：トー○スとゴー○ン』等）とする。
また、例えば、コンテンツデータとともに伝送される付加情報に含まれているシリーズ名をタイトル情報に含めず、映像データから抽出したテキストデータを、そのままタイトル情報（例えば、『トー○スとゴー○ン』、『登場人物名：トー○ス、ゴー○ン』等）としても良い。
ＣＰＵ１２１は、タイトル情報作成部１０においてタイトル情報が作成されると、データプロセッサ５を介してＤＶＤドライブ部６に出力し、第１のコンテンツデータ又は第２のコンテンツデータと対応づけてＤＶＤ６１に記録させる。
【００４７】
なお、付加情報から抽出したシリーズ名、音声データ又は映像データから得られたサブタイトル・登場人物名等の種類を、それぞれ表示形式（表示位置・表示色・テキスト）等により区別してタイトル情報を作成しても良い（例えば、『シリーズ名：トー○スとなかまたち  サブタイトル：あかはなのジェー○ス  登場人物名：ジェー○ス、○ック、○ル、○ン、○コ、トレ○ー』）。
【００４８】
図７及び図８は、マーキングした音声に基づいて取得された音声データ又は映像データ含まれる文字を含むタイトル情報が作成された場合に、テレビジョン受像機３００の表示部３００ａに表示されるタイトル情報の一覧を例示する図である。
図７では、コンテンツデータとともに伝送される付加情報（番組配列情報）に含まれているシリーズ名（例えば、「トー○スとなかまたち」）と、音声データ又は映像データから抽出したテキストデータの一部（例えば、「トー○スとゴー○ン」、「あかはなのジェー○ス」）とが合成されてタイトル情報とされている。
また、図８では、コンテンツデータとともに伝送される付加情報（番組配列情報）に含まれているシリーズ名はタイトル情報に含まれず、音声データ又は映像データから抽出したテキストデータ（例えば、「トー○スとゴー○ン  登場人物名：トー○ス、ゴー○ン」、「あかはなのジェー○ス  登場人物名：ジェー○ス、○ック、○ル、○ン、○コ、トレ○ー」）が、そのままタイトル情報とされている。
【００４９】
以上説明した実施形態１におけるＤＶＤレコーダ１００によれば、受信プログラム１２５ａの実行により、音声データ及び映像データを含む第１のコンテンツデータ及び当該第１のコンテンツデータと同一のシリーズに属する第２のコンテンツデータが受信され、記録プログラム１２５ｂの実行により、受信プログラム１２５ａの実行により受信された第１のコンテンツデータ及び第２のコンテンツデータが記録され、再生プログラム１２５ｃの実行により、記録プログラム１２５ｂの実行により記録された第１のコンテンツデータ及び第２のコンテンツデータが再生されて、音声データに基づく音声が音声出力部３００ｂから出力されるとともに、映像データに基づく映像が表示部３００ａに表示され、マーキングプログラム１２５ｄの実行により、再生プログラム１２５ｃの実行による第１のコンテンツデータの再生時に、音声出力部３００ｂから出力される音声がマーキングされ、記憶プログラム１２５ｅの実行により、第１のコンテンツデータにおける、マーキングプログラム１２５ｄによりマーキングされた音声が再生される所定の再生位置が記憶され、取得プログラム１２５ｆの実行により、第１のコンテンツデータにおける、マーキングプログラム１２５ｄによりマーキングされた音声の音声データ若しくは当該音声データの再生位置に基づく所定の再生位置の音声データ又は映像データが取得されるとともに、記憶プログラム１２５ｅの実行により記憶された所定の再生位置に基づいて、第１のコンテンツデータ（コンテンツデータ）と同一のシリーズに属する第２のコンテンツデータに含まれる音声データ又は映像データが取得され、作成プログラム１２５ｇの実行により、取得プログラム１２５ｆの実行により取得された音声データ又は映像データに基づいて、記録プログラム１２５ｂにより記録された第１のコンテンツデータのタイトル情報及び第２のコンテンツデータのタイトル情報が作成される。また、作成プログラム１２５ｇの実行により、取得プログラム１２５ｆの実行により取得された音声データが文字データに変換され、当該文字データに基づく文字の少なくとも一部を含むタイトル情報が作成又は取得プログラム１２５ｆの実行により取得された映像データに含まれる文字データが取得され、当該文字データに基づく文字の少なくとも一部を含むタイトル情報が作成される。
したがって、コンテンツデータの再生時に音声をマーキングすると、その音声に基づく音声データ又は映像データに基づいて、タイトル情報が作成されることとなる。したがって、コンテンツデータに含まれる音声データ又は映像データを用いた容易な操作で、よりユーザの意向に沿った録画コンテンツのタイトルを作成することができる。
また、ユーザ自身がタイトル情報を入力しなくても、所望の音声をマーキングするだけで、ユーザが望むタイトル情報を作成することができるため、ユーザにとって非常に利便的である。
さらに、付加情報に含まれない情報であってもタイトル情報に含めることができるため、ユーザにとってより望ましいタイトル情報を作成することができる。
【００５０】
また、第１のコンテンツデータの再生時に音声をマーキングすることによりタイトル情報が作成されると、当該第１のコンテンツデータと同一のシリーズに属する第２のコンテンツデータについて、第１のコンテンツデータにおいてマーキングされた音声と同一の再生位置の映像に基づいてタイトル情報が作成される。
即ち、第１のコンテンツデータと同一のシリーズに属する第２のコンテンツデータの各々についてマーキング作業を行わなくても、第１のコンテンツデータの再生時に音声のマーキングを行えば、同一のシリーズに属する第２のコンテンツデータ各々の音声又は映像に応じたタイトル情報が自動的に作成されることとなる。したがって、第１のコンテンツデータと同一のシリーズに属する第２のコンテンツデータのそれぞれについて、タイトル情報を作成する必要が無いばかりか、第２のコンテンツデータの音声をマーキングしなくても、第２のコンテンツデータのそれぞれに応じた適切なタイトル情報が作成されることとなり、ユーザにとって更に利便的となる。
【００５１】
また、作成プログラム１２５ｇの実行により、取得プログラム１２５ｆの実行により取得された音声データが文字データに変換され、当該文字データに基づく文字の少なくとも一部を含むタイトル情報が作成されるため、タイトル情報に含めたい音声を含む音声をマーキングするか、或いは、タイトル情報に含めたい音声を含む所定時間前後の音声をマーキングすれば、所望の文字情報をタイトル情報に含めて、ユーザにとってより望ましいタイトル情報を作成することができる。
【００５２】
また、作成プログラム１２５ｇの実行により、取得プログラム１２５ｆの実行により取得された映像データに含まれる文字データが取得され、当該文字データに基づく文字の少なくとも一部を含むタイトル情報が作成されるため、タイトル情報に含めたい文字を含む映像が表示されている間に再生される音声をマーキングするか、或いは、タイトル情報に含めたい文字を含む映像の所定時間前後に再生される音声をマーキングすれば、所望の文字情報をタイトル情報に含めて、ユーザにとってより望ましいタイトル情報を作成することができる。
【００５３】
（実施形態２）
次に、本発明の実施形態２を、図面を参照しながら詳細に説明する。
本実施形態２の記録再生装置は、例えば、実施形態１と同様に、ＤＶＤレコーダであるものとして説明を行う。
なお、実施形態１と同様の構成に関しては、同じ符号を付してその説明を省略することとする。
【００５４】
まず、図９を参照しながら、実施形態２のＤＶＤレコーダ２００の要部構成について説明する。
ＤＶＤレコーダ２００は、例えば、キー入力部１、放送局から送信された放送信号を受信して、当該放送信号のうちから所定の放送チャンネルの放送信号を選局して、コンテンツデータ（第１のコンテンツデータ、第２のコンテンツデータ）を抽出するチューナ２、チューナ２から入力されたコンテンツデータに対して所定の圧縮処理を行うエンコーダ部３、チューナ２から入力されたコンテンツデータを解析して音声データ又は映像データを取得する解析部１３、コンテンツデータの入出力を制御して、エンコーダ部３から入力されたコンテンツデータをＤＶＤドライブ部６に供給するとともに、ＤＶＤドライブ部６から取り込んだコンテンツデータをデコーダ部７に供給するデータプロセッサ５、ＤＶＤ６１に対して放送番組データの記録及び再生を行うＤＶＤドライブ部６、ＤＶＤドライブ部６から出力された放送番組データに所定の伸張処理を行うデコーダ部７、映像データに含まれる文字を認識する文字認識部８、音声データを音声認識してテキストデータに変換する音声認識部９、文字認識部８から入力されるテキストデータ・音声認識部９から入力されるテキストデータ・ビデオデコーダ７２から入力される付加情報（番組配列情報（SI: Service Information））に基づいてタイトル情報を作成するタイトル情報作成部１０、ＯＳＤデータ等を映像信号に合成するミキシング部１１、ＤＶＤレコーダ２００全体を統括制御する制御部１４等を備えて構成されている。
【００５５】
キー入力部１は、例えば、機器本体を遠隔操作するリモートコントローラ等であり、各種キーの押下に基づいてリモコン信号を生成して、機器本体の制御部１４に対して出力する。
キー入力部１には、第１のコンテンツデータの再生時に、所望の再生音声をマーキングしてタイトルの作成を指示するためのタイトル作成キー１ａが備わる。当該タイトル作成キー１ａが操作されると、後述するマーキングプログラム１２５ｄ、記憶プログラム１４３ａ、取得プログラム１４３ｂ、作成プログラム１４３ｃが実行され、マーキングされた音声若しくは当該マーキングされた音声の再生位置に基づく所定の再生位置の音声又は映像に基づく第１のコンテンツデータのタイトル情報が作成されることとなる。
【００５６】
また、タイトル作成キー１ａの操作により、第１のコンテンツデータのタイトル情報が作成されると、第１のコンテンツデータと同一のシリーズに属する第２のコンテンツデータのタイトル情報が作成される。
特に、本実施形態２では、実施形態１のように第１のコンテンツデータにおけるマーキングされた音声の再生位置が記憶されるのではなく、第１のコンテンツデータにおけるマーキングされた音声の音声データそのものが記憶される。そして、当該記憶された音声データとの類似度が所定の閾値以上の音声データが、第２のコンテンツデータから検出され、検出された音声データの再生位置が検出されて、当該再生位置の音声データ若しくは検出された再生位置に基づく所定の再生位置の音声データ又は映像データに基づいて、第２のコンテンツデータのタイトル情報が作成される。
【００５７】
解析部１３は、チューナ２から入力される第２のコンテンツデータとしてのＴＳを解析して、第１のコンテンツデータにおいてマーキングされた音声データ、若しくは、第１のコンテンツデータにおいてマーキングされた音声データの再生位置に基づく所定の再生位置の音声データ又は映像データを取得する。
【００５８】
制御部１４は、ＣＰＵ（Central Processing Unit）１４１、現在時刻を計時する計時部１２２、ＲＡＭ（Random Access Memory）１２３、マーキング音声記憶部１４２、ＲＯＭ（Read Only Memory）１４３等を備えて構成されている。
【００５９】
ＣＰＵ１４１は、各部から入力された入力信号に応じて、ＲＯＭ１４３に格納された各種プログラムを実行するとともに、実行にかかるプログラムに基づいて各部に出力信号を出力することにより、ＤＶＤレコーダ２００の動作全般を統括制御する。
【００６０】
ＲＡＭ１２３は、例えば、ＣＰＵ１４１によって各種プログラムが実行される際に生じる処理結果や、入力されたデータ等を記憶する。
マーキング音声記憶部１４２は、ＥＰＲＯＭ（Erasable Programmable ROM）等により構成され、後述する記憶プログラム１４３ａの実行において、タイトル作成キー１ａの操作によりマーキングされた音声を、番組（シリーズ）毎に記憶する。
【００６１】
ＲＯＭ１４３は、不揮発性メモリから成るプログラム格納エリアを有しており、具体的には、受信プログラム１２５ａ、記録プログラム１２５ｂ、再生プログラム１２５ｃ、マーキングプログラム１２５ｄ、記憶プログラム１４３ａ、取得プログラム１４３ｂ、作成プログラム１４３ｃ等を記憶している。
【００６２】
記憶プログラム１４３ａは、例えば、ＣＰＵ１４１に、第１のコンテンツデータ（コンテンツデータ）における、マーキングプログラム１２５ｄの実行によりマーキングされた音声データを記憶する機能を実現させるためのプログラムである。
具体的には、ＣＰＵ１４１は、マーキングプログラム１２５ｄの実行により、タイトル作成キー１ａが押下された時点で音声出力部３００ｂから出力される音声がマーキング音声として決定されると、当該マーキング音声を、当該番組・シリーズの識別情報とともに、マーキング音声記憶部１４２に記憶させる。
ＣＰＵ１４１は、かかる記憶プログラム１４３ａを実行することにより、マーキング音声記憶部１４２とともに、記憶手段として機能する。
【００６３】
取得プログラム１４３ｂは、例えば、ＣＰＵ１４１に、第１のコンテンツデータにおける、マーキングプログラム１２５ｄの実行によりマーキングされ、マーキング音声記憶部１４２に記憶された音声の音声データ若しくは当該音声データの再生位置に基づく所定の再生位置の音声データ又は映像データを取得するととともに、第１のコンテンツデータ（コンテンツデータ）と同一のシリーズに属する第２のコンテンツデータから、記憶プログラム１４３ａの実行により記憶された音声データが再生される再生位置を検出し、検出された再生位置に基づいて、第２のコンテンツデータに含まれる音声データ又は音声データを取得する機能を実現させるためのプログラムである。
ＣＰＵ１４１は、かかる取得プログラム１４３ｂを実行することにより、ＤＶＤドライブ部６、解析部１３とともに、取得手段として機能する。
【００６４】
作成プログラム１４３ｃは、例えば、ＣＰＵ１４１に、取得プログラム１４３ｂの実行により取得された音声データ又は映像データに基づいて、記録プログラム１２５ｂの実行により記録された第１のコンテンツデータ（コンテンツデータ）のタイトル情報を作成するとともに、取得プログラム１４３ｂの実行により取得された音声データ又は映像データに基づいて、第２のコンテンツデータのタイトル情報を作成する機能を実現させるためのプログラムである。
ＣＰＵ１４１は、かかる作成プログラム１４３ｃを実行することにより、タイトル情報作成部１０とともに作成手段として機能する。
【００６５】
タイトル情報の作成方法は、図１０に例示するメニュー画面において予めユーザにより選択されている。図１０のメニュー画面では、例えば、３つのタイトル作成方法を選択できるようになっている。
例えば、第１に、タイトル作成キー１ａによりマーキングした音声の再生中に、表示部３００ａに表示される映像内の文字をテキスト変換してタイトル情報を作成する方法である。
第２に、タイトル作成キー１ａによりマーキングした音声の所定時間後（例えば、１〜１０秒後）に再生される音声をテキスト変換して、タイトル情報を作成する方法である。
第３に、タイトル作成キー１ａによりマーキングした音声の所定時間後（例えば、１〜３秒後）に表示部３００ａに表示される映像内の文字をテキスト変換して、タイトル情報を作成する方法である。
なお、図２のメニュー画面では、タイトル作成キー１ａによりマーキングした音声の何秒後の音声データ／映像データを取得するか、又、その時間幅等を、ユーザが自在に設定することができる。
【００６６】
第１に、第１のコンテンツデータ及び第２のコンテンツデータから、タイトル作成キー１ａによりマーキングした音声の再生中に、表示部３００ａに表示された映像内の文字をテキスト変換してタイトル情報を作成する場合について説明する。
例えば、ユーザが、第１のコンテンツデータの再生時にタイトル作成キー１ａを押下すると、ＣＰＵ１４１は、タイトル作成キー１ａが押下されている間に再生された音声をマーキング音声記憶部１４２に記憶させる。そして、第１のコンテンツデータにおける当該マーキングされた音声データの再生中に表示部３００ａに表示される映像（例えば、図３）の映像データをＤＶＤ６１から取得する。
また、ＣＰＵ１４１は、第１のコンテンツデータと同一のシリーズに属する第２のコンテンツデータがチューナ２において受信されると、解析部１３において、第２のコンテンツデータから、マーキング音声記憶部１４２に記憶された音声データと類似度が所定の閾値以上の音声データを検出し、当該音声データの再生中に、表示部３００ａに表示されている映像（例えば、図４）の映像データを取得する。
第２のコンテンツデータは、第１のコンテンツデータと同じシリーズに属する番組であるため、第２のコンテンツデータから取得された、マーキング音声記憶部１４２に記憶された音声とともに出力される映像は、第１のコンテンツデータの再生時にマーキングした音声とともに出力された映像と同じように、タイトル情報に含めたいテキスト（例えば、サブタイトル等）を含むユーザの意向に沿った映像である可能性が高いと考えられる。
【００６７】
第２に、第１のコンテンツデータ及び第２のコンテンツデータから、タイトル作成キー１ａによりマーキングした音声の所定時間後に再生される音声をテキスト変換して、タイトル情報を作成する場合について説明する。
例えば、ユーザが、第１のコンテンツデータの再生時にタイトル作成キー１ａを押下すると、ＣＰＵ１４１は、タイトル作成キー１ａが押下されている間に再生された音声をマーキング音声記憶部１４２に記憶させる。そして、第１のコンテンツデータにおける当該マーキングされた音声の所定時間後(例えば、１〜１０秒後)に再生される音声（例えば、「登場するなかまたち：トー○ス、ゴー○ン」）の音声データをＤＶＤ６１から取得する。
また、ＣＰＵ１４１は、第１のコンテンツデータと同一のシリーズに属する第２のコンテンツデータがチューナ２において受信されると、解析部１３において、第２のコンテンツデータから、マーキング音声記憶部１４２に記憶された音声データを検出し、検出された音声データの所定時間後（例えば、１〜１０秒後）に再生される音声（例えば、「登場するなかまたち：ジェー○ス、ダッ○、ビ○、ベ○、ボ○、トレ○ー」）の音声データを取得する。
第２のコンテンツデータは、第１のコンテンツデータと同じシリーズに属する番組であるため、第２のコンテンツデータから取得された、マーキング音声記憶部１４２に記憶された音声に基づく所定の再生位置（所定時間後）の音声は、第１のコンテンツデータの再生時にマーキングされた音声の所定時間後（例えば、１〜１０秒後）に再生される音声と同種類の音声（例えば、登場人物のアナウンス等）である可能性が高く、第１のコンテンツデータの再生時に取得した音声と同じように、タイトル情報に含めたいユーザの意向に沿った音声である可能性が高いと考えられる。
【００６８】
第３に、第１のコンテンツデータ及び第２のコンテンツデータから、タイトル作成キー１ａによりマーキングした音声の所定時間後に表示部３００ａに表示される映像内の文字をテキスト変換して、タイトル情報を作成する方法について説明する。
例えば、ユーザが、第１のコンテンツデータの再生時にタイトル作成キー１ａを押下すると、ＣＰＵ１４１は、タイトル作成キー１ａが押下されている間に再生された音声をマーキング音声記憶部１４２に記憶させる。そして、第１のコンテンツデータにおける当該マーキングされた音声の所定時間後(例えば、１〜３秒後)に表示部３００ａに表示される映像（例えば、図５）をＤＶＤ６１から取得する。
また、ＣＰＵ１４１は、第１のコンテンツデータと同一のシリーズに属する第２のコンテンツデータがチューナ２において受信されると、解析部１３において、第２のコンテンツデータから、マーキング音声記憶部１４２に記憶された音声の所定時間後(例えば、１〜３秒後)に表示部３００ａに表示される映像（例えば、図６）の映像データを取得する。
第２のコンテンツデータは、第１のコンテンツデータと同じシリーズに属する番組であるため、第２のコンテンツデータから取得された、マーキング音声記憶部１４２に記憶された音声の所定時間後（例えば、１〜３秒後）に表示部３００ａに表示される映像は、第１のコンテンツデータの再生時に取得した映像と同じように、タイトル情報に含めたいテキスト（例えば、登場人物名等）を含むユーザの意向に沿った映像である可能性が高いと考えられる。
【００６９】
以上説明した実施形態２におけるＤＶＤレコーダ２００によれば、受信プログラム１２５ａの実行により、音声データ及び映像データを含む第１のコンテンツデータ及び当該第１のコンテンツデータと同一のシリーズに属する第２のコンテンツデータが受信され、記録プログラム１２５ｂの実行により、受信プログラム１２５ａの実行により受信された第１のコンテンツデータ及び第２のコンテンツデータが記録され、再生プログラム１２５ｃの実行により、記録プログラム１２５ｂの実行により記録された第１のコンテンツデータ及び第２のコンテンツデータが再生されて、音声データに基づく音声が音声出力部３００ｂから出力されるとともに、映像データに基づく映像が表示部３００ａに表示され、マーキングプログラム１２５ｄの実行により、再生プログラム１２５ｃの実行による第１のコンテンツデータの再生時に、音声出力部３００ｂから出力される音声がマーキングされ、記憶プログラム１４３ａの実行により、第１のコンテンツデータにおける、マーキングプログラム１２５ｄによりマーキングされた音声が記憶され、取得プログラム１４３ｂの実行により、第１のコンテンツデータにおける、マーキングプログラム１２５ｄによりマーキングされた音声の音声データ若しくは当該音声データの再生位置に基づく所定の再生位置の音声データ又は映像データが取得されるとともに、第１のコンテンツデータと同一のシリーズに属する第２のコンテンツデータから、記憶プログラム１４３ａの実行により記憶された音声データが再生される再生位置が検出され、検出された再生位置に基づいて、第２のコンテンツデータに含まれる音声データ又は映像データが取得され、作成プログラム１４３ｃの実行により、取得プログラム１４３ｂの実行により取得された音声データ又は映像データに基づいて、記録プログラム１２５ｂにより記録された第１のコンテンツデータのタイトル情報及び第２のコンテンツデータのタイトル情報が作成される。また、作成プログラム１４３ｃの実行により、取得プログラム１４３ｂの実行により取得された音声データが文字データに変換され、当該文字データに基づく文字の少なくとも一部を含むタイトル情報が作成又は取得プログラム１４３ｂの実行により取得された映像データに含まれる文字データが取得され、当該文字データに基づく文字の少なくとも一部を含むタイトル情報が作成される。
即ち、コンテンツデータの再生時に、再生される音声をマーキングすると、その音声の音声データ又は当該音声データの再生位置に基づく所定の再生位置の音声データ又は映像データに基づいてタイトル情報が作成されることとなる。したがって、ＤＶＤレコーダ２００（記録再生装置）において、コンテンツデータに含まれる音声データ又は音声データを用いた容易な操作で、よりユーザの意向に沿った録画コンテンツのタイトルを作成することができる。
また、ユーザ自身がタイトル情報を入力しなくても、所望の音声をマーキングするだけで、ユーザが望むタイトル情報を作成することができるため、ユーザにとって非常に利便的である。
さらに、付加情報に含まれない情報であってもタイトル情報に含めることができるため、ユーザにとってより望ましいタイトル情報を作成することができる。
【００７０】
また、第１のコンテンツデータの再生時に再生される音声をマーキングすることによりタイトル情報が作成されると、当該第１のコンテンツデータと同一のシリーズに属する第２のコンテンツデータについて、第１のコンテンツデータにおいてマーキングされた音声が再生される再生位置が検出されて、検出された再生位置の音声に基づいてタイトル情報が作成される。
即ち、同一のシリーズに属するコンテンツデータの各々についてマーキング作業を行わなくても、第１のコンテンツデータの再生時に再生される音声のマーキングを行えば、同一のシリーズに属する第２のコンテンツデータの各々の音声データ又は映像データに応じたタイトル情報が自動的に作成されることとなる。したがって、第２のコンテンツデータのタイトル情報を作成する必要が無いばかりか、第２のコンテンツデータの音声をマーキングしなくても、第２のコンテンツデータの各々に応じた適切なタイトル情報が作成されることとなり、ユーザにとって更に利便的となる。
また、第１のコンテンツデータにおいてマーキングされた音声が、第２のコンテンツデータにおいて異なる再生位置で再生される場合でも、第１のコンテンツデータにおいてマーキングされた音声に基づいて、第２のコンテンツデータから音声データ又は映像データが検出されてタイトル情報が作成されることとなるため、より確実に、ユーザにとって望ましいタイトル情報を作成することができる。
【００７１】
また、作成プログラム１４３ｃの実行により、取得プログラム１４３ｂの実行により取得された音声データが文字データに変換され、当該文字データに基づく文字の少なくとも一部を含むタイトル情報が作成されるため、タイトル情報に含めたい音声を含む音声をマーキングするか、或いは、タイトル情報に含めたい音声を含む所定時間前後の音声をマーキングすれば、所望の文字情報をタイトル情報に含めて、ユーザにとってより望ましいタイトル情報を作成することができる。
【００７２】
また、作成プログラム１４３ｃの実行により、取得プログラム１４３ｂの実行により取得された映像データに含まれる文字データが取得され、当該文字データに基づく文字の少なくとも一部を含むタイトル情報が作成されるため、タイトル情報に含めたい文字を含む映像が表示されている間に再生される音声をマーキングするか、或いは、タイトル情報に含めたい文字を含む映像の所定時間前後に再生される音声をマーキングすれば、所望の文字情報をタイトル情報に含めて、ユーザにとってより望ましいタイトル情報を作成することができる。
【００７３】
なお、本発明は、上記実施の形態に限られることなく、本発明の趣旨を逸脱しない範囲において種々の改良並びに設計の変更をおこなっても良い。
例えば、作成手段により作成されるタイトル情報は、上記実施形態において例示したものに限られない。例えば、『トー○スとゴー○ン』ように、その放送回のタイトルのみをタイトル情報としても良い。また、その放送回のタイトルや登場人物名の他、簡単なあらすじ等、音声データや、映像データ、付加情報に含まれる情報であれば、タイトル情報に含めることができる。
また、第１のコンテンツデータ又は第２のコンテンツデータから取得した映像データのサムネイル画像を含むタイトル情報を作成しても良い。
また、音声データ又は映像データから抽出したテキストデータのうち、タイトルや登場人物名等、必要なテキストのみを判別する判別手段を設け、作成手段は、判別手段により必要であると判別されたテキストのみをタイトル情報に含めても良い。
また、一つのコンテンツデータにつき、複数の音声をマーキングできるように構成しても良い。そして、例えば、一度目にマーキングされた音声を、サブタイトルが含まれる音声データであると決定し、二度目にマーキングされた音声を、登場人物名が含まれる音声であると決定する。そして、サブタイトルと登場人物名等の音声の種類を区別してタイトル情報を作成しても良い。
また、第１のコンテンツデータの音声をマーキングする際に、マーキングした音声の種類(例えば、タイトル、サブタイトル、登場人物名)等を、ユーザが指定できる手段が備わっていても良い。
また、第１のコンテンツデータの音声をマーキングする際に、マーキングした音声のうち、タイトル情報に含める音声区間（例えば、マーキングした音声の後半部分等）を指定できる手段が備わっていても良い。
また、第２のコンテンツデータから取得する音声データ又は映像データは、第２のコンテンツデータの受信時に、解析部１３において取得するのではなく、一旦ＤＶＤ６１に記録した後に、ＤＶＤ６１から取得しても良い。
また、上記実施形態では、タイトル情報に含める音声・映像の出力中に再生される音声をマーキングするタイトル作成方法と、タイトル情報に含める音声・映像が出力される所定時間前に再生される音声をマーキングするタイトル作成方法のみについて説明したが、タイトル情報に含める音声・映像が出力された所定時間後の音声をマーキングして、タイトルを作成する方法が備わっていても良い。また、タイトル作成キー１ａによりマーキングした音声の何秒前の音声データ／映像データを取得するか、又、その時間幅等を、ユーザが自在に設定することができる手段が備わっていても良い。
【図面の簡単な説明】
【００７４】
【図１】実施形態１におけるＤＶＤレコーダの要部構成を例示するブロック図である。
【図２】実施形態１におけるタイトル情報の作成方法を選択するためのメニュー画面を例示する図である。
【図３】第１のコンテンツデータから取得される映像を例示する図である。
【図４】第２のコンテンツデータから取得される映像を例示する図である。
【図５】第１のコンテンツデータから取得される映像を例示する図である。
【図６】第１のコンテンツデータから取得される映像を例示する図である。
【図７】テレビジョン受像機の表示部３００ａに表示されるタイトル情報の一覧を例示する図である。
【図８】テレビジョン受像機の表示部に表示されるタイトル情報の一覧を例示する図である。
【図９】実施形態２におけるＤＶＤレコーダの要部構成を例示するブロック図である。
【図１０】実施形態２におけるタイトル情報の作成方法を選択するためのメニュー画面を例示する図である。
【符号の説明】
【００７５】
１００      ＤＶＤレコーダ（記録再生装置）
１ａ        タイトル作成キー（マーキング手段）
２          チューナ（受信手段）
４          解析部（取得手段）
６          ＤＶＤドライブ部（記録手段、再生手段、取得手段）
８          文字認識部（作成手段）
９          音声認識部（作成手段）
１０        タイトル情報作成部（作成手段）
１２１      ＣＰＵ（受信手段、記録手段、再生手段、マーキング手段、記憶手段、取得手段、作成手段）
１２４      再生位置記憶部（記憶手段）
１２５ａ    受信プログラム（受信手段）
１２５ｂ    記録プログラム（記録手段）
１２５ｃ    再生プログラム（再生手段）
１２５ｄ    マーキングプログラム（マーキング手段）
１２５ｅ    記憶プログラム（記憶手段）
１２５ｆ    取得プログラム（取得手段）
１２５ｇ    作成プログラム（作成手段）
２００      ＤＶＤレコーダ
１３        解析部（取得手段）
１４１      ＣＰＵ（受信手段、記録手段、再生手段、マーキング手段、記憶手段、取得手段、作成手段）
１４２      マーキング音声記憶部（記憶手段）
１４３ａ    記憶プログラム（記憶手段）
１４３ｂ    取得プログラム（取得手段）
１４３ｃ    作成プログラム（作成手段）
【図１】
0004821751.tif 000002
【図２】
0004821751.tif 000003
【図３】
0004821751.tif 000004
【図４】
0004821751.tif 000005
【図５】
0004821751.tif 000006
【図６】
0004821751.tif 000007
【図７】
0004821751.tif 000008
【図８】
0004821751.tif 000009
【図９】
0004821751.tif 000010
【図１０】
0004821751.tif 000011